(57)【要約】      （修正有）【課題】チェーンを丸環で折り返すことで、スムーズに長さ調節できる装身用チェーンを提供する。【解決手段】装身用チェーン１は、引き輪２に固定されたリングに、小径のリング３を介して揺動可能に丸環４を連結している。該丸環４には、チェーン１０の一方端側が折り返されており、該折り返されたチェーンの一方の端部１１がスライド部材５に固定されたリングに連結されている。前記チェーン１０の他方は、弾性体を内蔵したスライド部材５の貫通孔を挿通して延出し、その他方の端部１２が連結部材の一例として示す穴あきプレート６の基端に連結されている。穴あきプレート６の基端側に形成された小孔に、小径のリング８が連結され、該リング８にチェーン１０の他方の端部１２が連結されている。【選択図】図１
0003194055.tif 000002
【実用新案登録請求の範囲】
【請求項１】
引き輪に固定されたリングに揺動可能に丸環を連結し、該丸環で折り返されたチェーンの一方の端部がスライド部材に固定され、他方が弾性体を内蔵したスライド部材の貫通孔を通って延出して、前記引き輪に着脱可能に連結される連結部材に連結されていることを特徴とする長さ調整可能な装身用チェーン。
【請求項２】
引き輪に固定されたリングに揺動可能に丸環を連結し、該丸環で折り返されたチェーンの一方の端部がスライド部材に固定され、他方が弾性体を内蔵したスライド部材の貫通孔を通って延出し、他方の弾性体を内蔵したスライド部材の貫通孔を通って前記引き輪に連結される連結部材に揺動可能に連結された丸環に挿入されて折り返され、先端が前記他方のスライド部材に固定されてなることを特徴とする請求項１に記載の長さ調整可能な装身用チェーン。
【考案の詳細な説明】
【技術分野】
【０００１】
本考案は、スムーズに長さ調節できる装身用チェーンに関するものである。
【背景技術】
【０００２】
従来、例えば、実公昭４８−２４０６９号の伸縮自在なネックレスでは、リングチェンの一端に連結環を取付けたネックレスにおいて、リングの長径より狭い間隔をもつて設けた２つの穴を有する調節部材に前記クサリを挿通し、リングチェンの他端に環を介して調節部材の一端に固着し、該調節部材と環間のリングチェンには環を挿通し、調節部材と連結環との間のクサリには装飾物を自由?通した構成が開示されており、これによってクサリの長さを調節して、好みに応じて装飾物の位置を変えることができる。
また、特開２００５−３１８９７８号の装身具では、首などに巻装できる鎖体と、該鎖体に掛止できる装飾体からなり、装飾体は中空で、鎖体の断面径よりやや大きい少なくとも２個の透孔がありかつ、上記球体内に収められ、その外径が上記透孔よりやや大きく、内径が上記鎖体の断面径よりやや小さい円筒状の弾性係止片を設けた構成からなっており、鎖体の長さ調整を行う構成が開示されている。
しかし、前者では、調節部材に形成された２つの穴に鎖を通して長さ調整を行うため、スムーズに鎖を伸縮させることができにくい。
また、鎖が折り返される環には取付片を介して連結環に着脱しているため、前記環の動きも固くなるという不具合がある。
後者では、鎖体を折り返すことなく、一対の装飾体間に鎖体を通して伸縮可能とするため、装飾体が鎖体を摺動させる際に対向する装飾体にも力が加わり、スムーズな伸縮が行いにくいという不具合があった。
【先行技術文献】
【特許文献】
【０００３】
【特許文献１】実公昭４８−２４０６９号公報
【特許文献２】特開２００５−３１８９７８号公報
【考案の概要】
【考案が解決しようとする課題】
【０００４】
この考案は上記事情に鑑みて創案されたものであって、その主たる課題は、チェーンの長さ調整をスムーズに行うことで長さ調整が可能なチェーン構造を提供することにある。
【課題を解決するための手段】
【０００５】
上記課題を解決するために、請求項１の考案では、
引き輪に固定されたリングに揺動可能に丸環を連結し、該丸環で折り返されたチェーンの一方の端部がスライド部材に固定され、他方が弾性体を内蔵したスライド部材の貫通孔を通って延出して、前記引き輪に着脱可能に連結される連結部材に連結されていることを特徴とする。
【０００６】
また、請求項２の考案では、
引き輪に固定されたリングに揺動可能に丸環を連結し、該丸環で折り返されたチェーンの一方の端部がスライド部材に固定され、他方が弾性体を内蔵したスライド部材の貫通孔を通って延出し、他方の弾性体を内蔵したスライド部材の貫通孔を通って前記引き輪に連結される連結部材に揺動可能に連結された丸環に挿入されて折り返され、先端が前記他方のスライド部材に固定されてなることを特徴とする。
【考案の効果】
【０００７】
この考案の装身用チェーンでは、スライド部材によりチェーンを伸縮させる際にチェーンは揺動可能に連結された丸環で折り返されるようになっているので、湾曲面同士の接触となり抵抗が少なく、スライド部材をチェーンに沿って摺動する際にスムーズに移動させることができ、容易に取り扱うことができる。
【図面の簡単な説明】
【０００８】
【図１】実施例１の装身用チェーンのい正面図である。
【図２】引き輪部分を中心とした要部の拡大図である。
【図３】スライド部材の拡大図である。
【図４】実施例２の装身用チェーンのい正面図である。
【図５】引き輪部分を中心とした要部の拡大図である。
【考案を実施するための形態】
【０００９】
この考案は、丸環を引き輪や穴あきプレートのような連結部材に揺動自在に連結した状態で、前記丸環に伸縮用のチェーンを折り返すように形成することで、抵抗の少ないスムーズなチェーンの伸縮操作を実現した。
以下に、この考案の好適実施例について図面を参照しながら説明する。
【実施例１】
【００１０】
図１に示す実施例１の装身用チェーン１は、引き輪２に固定されたリング２ａに、小径のリング３を介して揺動可能に丸環４を連結している。
該丸環４には、チェーン１０の一方端側が折り返されており、該折り返されたチェーンの一方の端部１１がスライド部材５に固定されたリング５ａに連結されている。
【００１１】
前記チェーン１０の他方は、図示省略の弾性体を内蔵したスライド部材５の貫通孔を挿通して延出し、その他方の端部１２が連結部材の一例として示す穴あきプレート６の基端に連結されている。
図示例の場合、穴あきプレート６の基端側に形成された小孔６ａに、小径のリング８が連結され、該リング８にチェーン１０の他方の端部１２が連結されている。
【００１２】
ここで前記弾性体の構造は、チェーンを通す穴を有する公知の構造を用いることができ、要するにチェーンを任意の位置で拘束する抵抗力を有し、所定の力を加えることで摺動可能な弾性力を有するものであればよい
そして、前記穴あきプレート６の連結用の穴７を引き輪２に掛止めることで、端部が開放されていたチェーン１０が無端状に連結されて装身用チェーン１として使用に供することができる。
【００１３】
本実施例では、前記スライド部材５をチェーン１０に沿って前後に摺動させることで、チェーン１０を伸縮して、最長となる１連の輪から最短となる２連の輪まで自在に伸縮し変形させることができる。
図中Ｔは、チェーン１０に取り付けたペンダントトップの一例であるが、この考案ではチェーンだけで使用するものでもよい。
また、図示例ではネックレスとして用いる場合を例示したが、ブレスレットやアンクレットその他の装身用チェーンとして用いるものにも適用することができる。
【実施例２】
【００１４】
図４に示す実施例２の装身用チェーン１は、スライド部材を左右に一対設けた異なる実施例を示す。
この装身用チェーン１は、前記実施例１と同様に、引き輪２に固定されたリング２ａに、小径のリング３を介して揺動可能に丸環４を連結している。
該丸環４には、チェーン１０の一方の端部側が折り返されており、該折り返されたチェーンの一方の端部１１がスライド部材５に固定されたリング５ａに連結されている。
【００１５】
前記チェーン１０の他方は、図示省略の弾性体を内蔵したスライド部材５の貫通孔を挿通して延出し、前記スライド部材５に対向する他方のスライド部材１５の貫通孔を通って延びている。
ここで、他方のスライド部材１５は、前記スライド部材５と同一構造のものを用いたが、その他の公知の弾性体を内蔵したスライド部材を用いてもよい。
【００１６】
また、前記引き輪２に着脱可能に連結される連結部材として、本実施例でも穴あきプレート６を用いている。
該穴あきプレート６の基端側には、小孔６ａが形成されており、該小孔６ａに補助的なリング８が連結され、該リング８に大径の丸環１４が揺動可能に連結されている。
該丸環１４には、チェーン１０の他方の端部側が折り返されており、該折り返されたチェーンの他方の端部１２が他方のスライド部材１５に固定されたリング１５ａに連結されている。
【００１７】
そして、前記穴あきプレート６の穴７を引き輪２に掛止めることで、端部が開放されていたチェーン１０が無端状に連結されて装身用チェーンとして使用に供することができる。
本実施例では、前記左右一対のスライド部材５、１５を接近方向に摺動して、チェーンを短縮させながら最小で２連の輪とし、逆に一対のスライド部材５、１５を離間方向に摺動して、チェーンを伸張させながら最大で１連の輪とするように前記最小から最大の間の任意の長さにチェーンを長さ調整することができる。
【００１８】
この実施例２でも、前記実施例１と同様にチェーンの用途は特に限定されるものではなく、装身用チェーンとして用いられるものであればよい。
上記実施例では、丸環４、１４は、補助的なリング３、８を介して引き輪２のリング２ａや、穴あきプレート６の小孔６ａに連結される場合を例示したが、丸環４、１４は、直接に揺動可能に引き輪２のリング２ａや、穴あきプレート６の小孔６ａに連結されるものでもよい。
その他、要するに、この考案の要旨を変更しない範囲で種々設計変更することができる。
【符号の説明】
【００１９】
１  装身用チェーン
２  引き輪
３  補助的なリング
４  丸環
５  スライド部材
６  穴あきプレート
７  穴
８  補助的なリング
１０  チェーン
１１  一方の端部
１２  他方の先端
１４  丸環
【図１】
0003194055.tif 000003
【図２】
0003194055.tif 000004
【図３】
0003194055.tif 000005
【図４】
0003194055.tif 000006
【図５】
0003194055.tif 000007